(57)【特許請求の範囲】
【請求項１】
原稿画像を読み取る入力手段と、
前記入力手段によって読み取った原稿画像から属性情報として少なくとも文字色情報プレーンと属性情報プレーンとを生成する属性情報生成手段と、
外部機器から送信された圧縮画像情報を受信する受信手段と、
前記受信手段で受信した圧縮画像情報から画像情報および前記属性情報と同じ属性情報として少なくとも文字色情報プレーンと属性情報プレーンとを生成する情報生成手段と、
前記入力手段で原稿画像を読み取った場合にその入力手段で読み取った原稿画像および前記属性情報生成手段で生成した属性情報を選択し、前記受信手段で圧縮画像情報を受信した場合に前記情報生成手段で生成した画像情報および属性情報を選択する選択手段と
を備えることを特徴とする画像処理装置。
【請求項２】
請求項１記載の画像処理装置の構成に加え、
前記選択手段で選択された情報を圧縮する圧縮手段を備える
ことを特徴とする画像処理装置。
【請求項３】
請求項２記載の画像処理装置の構成に加え、
前記圧縮手段によって圧縮された情報を蓄積する蓄積手段を備える
ことを特徴とする画像処理装置。
【請求項４】
請求項３記載の画像処理装置の構成に加え、
前記蓄積手段で蓄積した情報を伸長する伸長手段を備える
ことを特徴とする画像処理装置。
【請求項５】
請求項４記載の画像処理装置の構成に加え、
前記伸長手段で伸長した情報に基づき画像情報へ補正を施す補正手段を備える
ことを特徴とする画像処理装置。
【請求項６】
前記圧縮手段は、
前記原稿画像もしくは前記画像情報を圧縮する画像情報圧縮手段と、
前記属性情報を圧縮する属性情報圧縮手段とを備える
ことを特徴とする請求項２記載の画像処理装置。
【請求項７】
前記伸長手段は、
圧縮された前記原稿画像もしくは前記画像情報を伸長する画像情報伸長手段と、
圧縮された前記属性情報を伸長する属性情報伸長手段と
を備えることを特徴とする請求項４記載の画像処理装置。
【請求項８】
前記画像情報圧縮手段にて施す圧縮処理は非可逆圧縮であり、前記属性情報圧縮手段にて施す圧縮処理は可逆圧縮である
ことを特徴とする請求項６記載の画像処理装置。
【請求項９】
請求項１記載の画像処理装置の構成に加え、
前記情報生成手段によって生成された画像情報および属性情報に基づいて新たな属性情報を生成する属性情報再生成手段を備える
ことを特徴とする画像処理装置。
【請求項１０】
原稿画像を読み取る入力ステップと、
前記入力ステップによって読み取った原稿画像から属性情報として少なくとも文字色情報プレーンと属性情報プレーンとを生成する属性情報生成ステップと、
外部機器から送信された圧縮画像情報を受信する受信ステップと、
前記受信ステップで受信した圧縮画像情報から画像情報および前記属性情報と同じ属性情報として少なくとも文字色情報プレーンと属性情報プレーンとを生成する情報生成ステップと、
前記入力ステップで原稿画像を読み取った場合にその入力ステップで読み取った原稿画像および前記属性情報生成ステップで生成した属性情報を選択し、前記受信ステップで圧縮画像情報を受信した場合に前記情報生成ステップで生成した画像情報および属性情報を選択する選択ステップと
を備えることを特徴とする画像処理プログラム。
【発明の詳細な説明】
【０００１】
【発明の属する技術分野】
本発明は、原稿画像を読み取って出力する画像処理と、公衆回線やＬＡＮなどのネットワーク回線を介して異機種間で高品質に画像データを通信するための画像処理とを行う画像処理装置および画像処理プログラムに関する。
【０００２】
【従来の技術】
近年、複写機のデジタル化が進んだことによりファクシミリ機能やプリンタ機能の複合化が促進され、ネットワークを介して複数の複合デジタル複写機を接続するシステムが出現している。また、最近はこれらネットワーク機器のカラー化もすすみ、カラーファクシミリやカラープリンタも主流になりつつある。
【０００３】
このようなネットワークシステムでは、例えば解像度がそれぞれ異なる異機種装置間での相互接続や、カラー複写機と白黒複写機といったような色空間がそれぞれ異なる異機種装置間での相互接続が可能であり、これらの機器を利用したネットワークコピー機能なども実現可能である。
【０００４】
ここで、ネットワークコピーとはネットワークに接続された入力デバイスと出力デバイスとを利用して、ネットワークを介して従来のローカルコピー同等の機能を実現することを目的としたアプリケーションである。
【０００５】
従来のローカルコピー構成について図６を用いて説明する。ローカルコピーとは画像の入力から出力までを１台の複写機にて行ういわゆる一般的なコピーのことである。入力部４００は画像情報を入力するスキャナ部分である。入力画像補正部４０１は入力部４００で入力された画像情報の入力デバイス色空間から内部色空間への変換や、下地除去等の補正処理を行う。属性情報生成部４０２は入力画像補正部４０１で補正処理された画像情報から文字線画などの属性情報を生成する部分である。
【０００６】
画像情報圧縮部４０３は入力画像補正部４０１で補正処理された画像情報を圧縮処理する。属性情報圧縮部４０４は属性情報生成部４０２で生成された属性情報を圧縮処理する。蓄積部４０５は画像情報圧縮部で圧縮処理された画像情報および属性情報圧縮部で圧縮処理された属性情報を蓄積する部分である。
【０００７】
画像情報伸長部４０６は蓄積部４０５に蓄積された画像情報を読み出して伸長処理する部分である。属性情報伸長部４０７は蓄積部４０５に蓄積された属性情報を読み出して伸長処理する。補正用タグ生成部４０８は属性情報伸長部４０７で伸長処理された属性情報から出力画像補正部４０９で補正処理を行うためのタグ信号を生成する。
【０００８】
出力画像補正部４０９は補正用タグ生成部４０８で生成されたタグ信号に基づいて画像情報伸長部４０６で伸長処理された画像情報の内部色空間から出力デバイス色空間への変換や階調補正等を行う。出力部４１０は出力画像補正部４０９で補正処理された画像情報を出力する部分である。
【０００９】
図７は、従来のローカルコピー動作を説明するフローチャートである。ここでは、複数ページからなる原稿をそのまま１部コピーする場合の処理フローを示している。先ず、入力部４００にてユーザが指示したモード設定で原稿画像情報を入力する（Ｓ５００）。画像情報が入力されると、入力画像補正部４０１にて入力デバイス色空間から内部色空間への変換や下地検知＆除去等の入力画像補正処理を行う（Ｓ５０１）。
【００１０】
入力画像情報の補正処理が終わると、補正済み画像情報に対して属性情報生成部４０２にて像域分離処理を行い文字線画などから構成された属性情報を生成する（Ｓ５０２）。属性情報を生成した後は、補正済み画像情報および属性情報をそれぞれ画像情報圧縮部４０３および属性情報圧縮部４０４にてそれぞれ圧縮処理し、蓄積部４０５に蓄積する（Ｓ５０３）。以上の処理を全ページ終了するまで繰り返す（Ｓ５０４）。
【００１１】
その後、一旦蓄積した画像情報および属性情報を読み出した後、画像情報伸長部４０６および属性情報伸長部４０７にてそれぞれの圧縮形式に準じた伸長方式で伸長処理する（Ｓ５０５）。伸長処理が終わると、伸長処理された属性情報から補正用タグ生成部４０８にて出力画像補正用のタグ信号を生成する（Ｓ５０６）。
【００１２】
生成されたタグ信号に基づき、出力画像補正部４０９にて画像情報に対し内部色空間から出力デバイス色空間への変換や階調補正等の出力画像補正処理を行う（Ｓ５０７）。補正処理の後、画像情報を出力部４１０にて紙などの印刷媒体に印字出力する（Ｓ５０８）。以上の処理が全ページ終了するまで繰り返す（Ｓ５０９）。
【００１３】
以上のように、従来のローカルコピーでは入力画像情報および入力画像情報から生成した属性情報を一旦圧縮して蓄積し、出力時は蓄積した入力画像および属性情報を伸長して画像処理を施し出力する。このように画像情報および属性情報を一旦蓄積する構成をとることにより、画像情報の入力から出力までをリアルタイムに処理することができる。
【００１４】
特に画像情報および属性情報を蓄積した後は、出力部の起動タイミングや印刷処理速度にあわせて蓄積画像情報の読み出しから出力までを高速に処理することができる。
【００１５】
また画像情報および属性情報を一旦蓄積することにより例えばフェイスアップ（最終ページから順に出力し１ページ目が一番上に来るようにする）や冊子作成（縮小して回転し順序を入れ替えて面付け）などの複写機能も実現することができる。
【００１６】
また蓄積した画像情報の出力処理中は入力部等のリソースを解放することができる。なお上記従来技術においては画像情報および属性情報を蓄積する前に一旦圧縮しているが、当然圧縮せずに蓄積してもよい。
【００１７】
以上説明したローカルコピー構成例に近い技術として、例えば特開平９―１８６８６６号公報が挙げられる。
【００１８】
次に、従来のネットワークコピー構成について図８を用いて説明する。ネットワークコピーとはネットワークに接続された入力デバイスと出力デバイスを利用して、ネットワークを介して従来のローカルコピー同等の機能を実現することを目的としたアプリケーションである。
【００１９】
図８はネットワークコピーにおける受信側の構成図である。受信部６００はネットワークを介して送られる圧縮画像情報を受信する部分である。蓄積部６０１は受信部６００で受信された圧縮画像情報を蓄積する。伸長部６０２は蓄積部６０１で蓄積された圧縮画像情報を伸長処理する。属性情報生成部６０３は伸長部６０２で伸長処理された画像情報から属性情報を生成する。
【００２０】
補正用タグ生成部６０４は属性情報生成部６０３で生成された属性情報から出力画像補正部６０５で補正処理を行うためのタグ信号を生成する部分である。出力画像補正部６０５は伸長部６０２で伸長処理された画像情報の出力デバイス色空間変換や階調補正等を行う部分である。出力部６０６は出力画像補正部６０５で補正処理された画像情報を出力する部分である。
【００２１】
図９は、従来のネットワークコピーの受信動作を説明するフローチャートである。ここでは、複数ページからなる圧縮画像を１部ネットワーク経由で受信して出力する場合の処理フローを示している。
【００２２】
先ず、ネットワークを経由して受信部６００にて圧縮画像情報を受信する（Ｓ７００）。画像情報を受信すると、蓄積部６０１にて圧縮画像情報を蓄積する（Ｓ７０１）。その後、蓄積された圧縮画像情報を読み出し、伸長部６０２にて圧縮形式に準じた伸長方式で伸長処理する（Ｓ７０２）。
【００２３】
伸長処理が終わると、伸長処理された画像情報に基づき、属性情報生成部６０３にて属性情報を生成する（Ｓ７０３）。属性情報が生成されると、補正用タグ信号生成部６０４にて画像情報補正用のタグ信号を生成する（Ｓ７０４）。その後、生成されたタグ信号に基づいて、出力画像補正部６０５にて画像情報に対し出力デバイス色空間変換や階調補正等の出力画像補正処理を行う（Ｓ７０５）。そして、補正処理された画像情報を用いて出力部６０６にて紙などの印刷媒体に印字出力する（Ｓ７０６）。以上の処理を全ページ終了するまで繰り返す（Ｓ７０７）。
【００２４】
以上のように、従来のネットワークコピーでは受信した圧縮画像情報を一旦蓄積し、出力時は蓄積した圧縮画像情報を伸長して補正用タグ信号を生成し、補正用タグ信号に基づいて画像情報を補正処理して出力する。このような構成により、ネットワークを経由して受信した画像情報に属性情報（タグ情報）が付加されていない場合でも受信側にて属性情報（タグ情報）を生成し属性情報（タグ情報）に基づいて画像情報を補正処理するので、比較的高画質な出力画像を得ることができる。
【００２５】
図８および図９で説明したネットワークコピーを実現する場合、送受信する画像情報は１枚のプレーン画像情報で扱うのが一般的である。つまり入力側（送信側）では原稿タイプを指定して原稿に適した画像処理を1枚のプレーン画像情報全体に施し圧縮処理してネットワークへ送出し、出力側（受信側）も圧縮された1枚のプレーン画像情報を受信して伸長および補正処理して出力する。
【００２６】
しかしながらネットワークコピーはネットワークを介してデータをやり取りするため、比較的高圧縮率が要求される。この場合原稿画像情報が文字のみあるいは写真のみといった１種類の属性の画像情報だけで構成されるのであれば特に問題はないが、文字と写真が混在しているような複数の属性の画像情報から構成されている場合には例えば以下のような不都合が生じる。
【００２７】
つまり文字と写真が混在している画像情報を圧縮しようとした場合、１枚のプレーン画像情報に対して同じ圧縮処理を施すので、適用する圧縮方式によっては文字部あるいは写真部のいずれかの画質が劣化するかもしくは全体圧縮率が低下してしまう。これに対し、原稿画像情報の特徴を判別し、判別結果から画像を属性毎に分離して複数のプレーン画像情報に分けて扱うような手法が考えられる（図１０）。
【００２８】
この手法では画像情報を属性毎に分離するので、例えば文字部の色情報は文字色情報プレーンとして１プレーンを構成し、絵柄部（写真部）の情報は絵柄情報プレーンとして１プレーンを構成し、結果として１枚のプレーン画像情報として入力された原稿画像情報は属性情報プレーンを含め３プレーンの画像情報に分離される。
【００２９】
このような手法においては、文字色情報プレーンには文字色情報に適した画像処理（解像度変換等）および圧縮処理を、絵柄情報プレーンには絵柄情報に適した画像処理（解像度変換等）および圧縮処理を、属性情報プレーンには属性情報プレーンに適した画像処理および圧縮処理を適用できるので、比較的高画質を維持したまま圧縮率を向上させることが可能であり、ネットワークを介した画像交換すなわちネットワークコピー等のアプリケーションへの適用が有力視されている。
【００３０】
【発明が解決しようとする課題】
しかしながら、第１の課題として、上述したように従来のローカルコピーにおける出力処理とネットワークコピーにおける出力処理はそれぞれ処理構成が異なるため、両者を１台の装置で実現しようとした場合には従来構成では処理リソースが膨大なものとなっていた。
【００３１】
またさらに、上述したようにネットワークコピーにおいては比較的高圧縮率が要求されるため、送受信する画像情報は１枚のプレーン画像情報ではなく属性ごとに分離された複数のプレーン画像情報で扱うのが理想的である。
【００３２】
すなわち入力側（送信側）で属性情報プレーンを生成し、属性情報プレーンに基づき画像を属性ごとに分離して各画像情報プレーンを生成し、属性情報プレーンおよび各画像情報プレーンを圧縮して送信することで高圧縮率かつ高画質を実現することが可能である。この場合には属性情報プレーンを属性情報として代用することで、出力側（受信側）の属性情報生成処理を省くことが可能である。
【００３３】
ここで、第１の課題である出力側（受信側）装置の処理リソースの観点から補正用タグ生成部（４０８と６０４）や出力画像補正部（４０９と６０５）や出力部（４１０と６０６）をローカルコピーとネットワークコピーで共有することを考えた場合、ネットワークコピー時における属性情報はローカルコピー時における属性情報と同じような分離属性を有するものであることが望ましい。
【００３４】
すなわち、ローカルコピー時における属性情報が文字線画エッジ情報である場合には、ネットワークコピー時における属性情報も文字線画エッジ情報であれば画像情報補正処理による再現処理の両者の差異がほとんどなくなる。
【００３５】
しかしながら、従来のローカルコピーにおける属性情報は、圧縮の観点からは必ずしもネットワークコピーに適したものではない。例えばローカルコピーにおける属性情報として原稿画像の文字線画エッジ情報を考えた場合、ローカルコピーではこのような文字線画エッジ情報を用いて出力画像補正処理を行うことで、文字線画エッジ部とそれ以外の領域にそれぞれ最適な出力画像補正処理を適用することができ、高画質に出力画像を再現することができる。
【００３６】
一方ネットワークコピーにおいて図１０のように画像情報を属性ごとに分離する場合、属性情報プレーン＝属性情報が格納されることになるが、本来属性情報プレーンには文字線画のエッジだけでなく形状そのものが格納されることが好ましい。
【００３７】
もしそうでない場合、すなわち上記したようなローカルコピーにおいて生成された文字線画エッジ情報を属性情報プレーンに格納した場合、文字線画エッジ部分は属性情報プレーンとして保存されるが、文字線画内部は絵柄情報プレーンに分離されてしまう。
【００３８】
絵柄情報プレーンには解像度変換処理や非可逆圧縮処理等を施して大幅な情報量削減を行うため、当然文字線画内部も画質劣化が発生する。このような画質劣化のある文字線画内部（絵柄情報プレーン）と画質劣化のない文字線画エッジ部（属性情報プレーン）とを出力側（受信側）装置で合成した場合、境界部でその差異が目立ってしまったり、あるいは境界部に意図しない細線が挿入されてしまう等の画質劣化が発生してしまう。
【００３９】
また、例えばローカルコピーにおいて使用される属性情報として、原稿画像の文字線画情報（エッジだけでなく文字内部を含む）であってなおかつこれら文字線画情報を膨張処理した膨張文字線画情報等を利用することも考えられる。
【００４０】
膨張処理とは、例えば図１１のように文字線画部の画素を膨らませて線幅を太らせる処理である。ローカルコピーではこのような実際の文字線画部よりも太めもしくは潰し気味に生成された属性情報を用いて出力画像補正処理を行うことで、文字線画部（膨張領域を含む）とそれ以外の領域にそれぞれ最適な出力画像補正処理を適用することができ、高画質に出力画像を再現することができる。
【００４１】
一方、ネットワークコピーにおいて図１０のように画像情報を属性ごとに分離する場合、属性情報プレーンには実際の文字線画部よりも太めもしくは潰し気味に生成された属性情報が格納されることになり、やはり出力側（受信側）装置で合成した場合に文字線画部の太り現象等の画質劣化が発生してしまう。
【００４２】
つまりローカルコピーの属性情報をネットワークコピーの属性情報としてそのまま利用することはほとんどない。したがって、第２の課題として、ネットワークコピーにおける属性情報が有する分離属性とローカルコピーにおける属性情報が有する分離属性がおのずと異なってくるため、出力時において画像情報補正処理での両者の再現性が異なってしまい、出力画像品質が異なってしまうという問題が生じる。
【００４３】
本発明は上記従来技術の問題点すなわち上述した第１の課題および第２の課題を解決するものであり、ローカルコピー機能とネットワークコピー機能を１台で同時に実現する複合システムにおいて、ローカルコピーの生産性や画質を低下させることなく、最小限の処理リソースの追加のみで高画質なネットワークコピーを実現することを目的とする。
【００４４】
【課題を解決するための手段】
前記課題を解決するために、本発明の画像処理装置は、原稿画像を読み取る入力手段と、入力手段によって読み取った原稿画像から属性情報として少なくとも文字色情報プレーンと属性情報プレーンとを生成する属性情報生成手段と、外部機器から送信された圧縮画像情報を受信する受信手段と、受信手段で受信した圧縮画像情報から画像情報および前記属性情報と同じ属性情報として少なくとも文字色情報プレーンと属性情報プレーンとを生成する情報生成手段と、入力手段で原稿画像を読み取った場合にその入力手段で読み取った原稿画像および属性情報生成手段で生成した属性情報を選択し、受信手段で圧縮画像情報を受信した場合に情報生成手段で生成した画像情報および属性情報を選択する選択手段とを備えている。
【００４５】
また、本発明の画像処理プログラムは、原稿画像を読み取る入力ステップと、入力ステップによって読み取った原稿画像から属性情報として少なくとも文字色情報プレーンと属性情報プレーンとを生成する属性情報生成ステップと、外部機器から送信された圧縮画像情報を受信する受信ステップと、受信ステップで受信した圧縮画像情報から画像情報および前記属性情報と同じ属性情報として少なくとも文字色情報プレーンと属性情報プレーンとを生成する情報生成ステップと、入力ステップで原稿画像を読み取った場合にその入力ステップで読み取った原稿画像および属性情報生成ステップで生成した属性情報を選択し、受信ステップで圧縮画像情報を受信した場合に情報生成ステップで生成した画像情報および属性情報を選択する選択ステップとを有する。
【００４６】
このような本発明では、入力部もしくは入力ステップで原稿画像からの情報を得た場合と、受信部もしくは受信ステップで画像情報を得た場合とで、各情報を選択手段もしくは選択ステップによって切り換えて後段へ渡すため、後段の機能として、入力部もしくは入力ステップで原稿画像の情報を得た場合と、受信部もしくは受信ステップで画像情報を得た場合とで共有できるようになる。また、受信手段もしくは受信ステップで圧縮画像情報を受信した場合に情報生成手段もしくは情報生成ステップで画像情報および属性情報を生成するため、入力手段もしくは入力ステップで原稿画像の情報を得た場合と同様な画像情報および属性情報を用いて後段の処理を施すことができ、画質の均一化を図ることができる。
【００４７】
【発明の実施の形態】
以下、本発明の実施の形態を図に基づいて説明する。先ず、第１実施形態の説明を行う。図１は、第１実施形態に係る画像処理装置を説明する構成図である。すなわち、この画像処理装置は、原稿画像を読み取って出力するローカルコピー機能と、ネットワークを介して外部機器から送られる画像情報を受信して出力するネットワークコピー機能との両方を実現できるものである。
【００４８】
すなわち、入力部１００は原稿の画像情報を読み取る入力手段であり、ローカルコピー機能を実現する場合にはこの入力部１００から画像を入力する。入力画像補正部１０１は入力部１００で入力された入力画像情報の入力デバイス色空間から内部色空間への変換や下地除去等の補正処理を行う。
【００４９】
属性情報生成部１０２は入力画像補正部１０１で補正された画像情報から文字線画などの属性情報を生成する。受信部１０３はネットワークを経由して送信されてきた圧縮情報（画像情報および属性情報を含む）を受信する手段である。第１蓄積部１０４は受信部１０３で受信された圧縮情報を蓄積する部分である。
【００５０】
情報生成部１０５は第１蓄積部１０４に蓄積された圧縮情報を解凍し、非圧縮の画像情報および属性情報を生成する手段である。セレクタ１０６は入力画像補正部１０１で補正された入力画像情報もしくは情報生成部１０５で生成されたネットワーク経由の画像情報を選択して出力する選択手段である。セレクタ１０７は属性情報生成部１０２で生成された属性情報もしくは情報生成部１０５で生成されたネットワーク経由の属性情報を選択して出力する選択手段である。
【００５１】
画像情報圧縮部１０８はセレクタ１０６で選択出力された画像情報を圧縮する手段である。属性情報圧縮部１０９はセレクタ１０７で選択出力された属性情報を圧縮する手段である。
【００５２】
第２蓄積部１１０は画像情報圧縮部１０８で圧縮された圧縮画像情報および属性情報圧縮部１０９で圧縮された圧縮属性情報を蓄積する部分である。画像情報伸長部１１１は第２蓄積部１１０に蓄積された圧縮画像情報を伸長する手段である。属性情報伸長部１１２は第２蓄積部１１０に蓄積された圧縮属性情報を伸長する手段である。
【００５３】
補正用タグ生成部１１３は属性情報伸長部１１２で伸長された属性情報から画像情報に対するデバイス色空間変換や階調補正等の補正処理を行うためのタグ信号を生成する。出力画像補正部１１４は補正用タグ生成部１１３で生成された補正用タグ信号に基づいて、画像情報伸長部１１１で伸長された画像情報に対し補正処理を行う。出力部１１５は出力画像補正部１１４で補正された画像情報を紙などの記録媒体に印字して出力する部分である。
【００５４】
図２は、本実施形態の画像処理装置をネットワークで複数接続したシステム全体図である。入力装置２００、２０１はスキャナから画像データを取り込んでネットワーク２０５を介して画像データを出力装置へ送信する、出力装置２０２、２０３、２０４はネットワーク２０５を介して入力装置２００もしくは２０１から送信されてきた画像データを受信し、紙などの記録媒体に印字して出力する。ネットワーク２０５は、公衆回線やＬＡＮなどのネットワーク回線で構成されている。
【００５５】
図２では、わかりやすくするため入力装置と出力装置の機能をそれぞれ独立させているが、２００〜２０４の各装置はそれぞれが入力装置の機能と出力装置の機能を備えた複合機であってもよく、本実施形態においてはこのような複合機を前提に説明する。
【００５６】
次に、第１実施形態の画像処理装置における動作について、図３を用いて説明する。図３はローカルコピーにおいて複数ページからなる入力原稿を１部出力するとともに、ローカルコピー終了後、ネットワークコピーにおいてネットワーク経由で送信されてきた複数ページからなる圧縮情報を１部出力する場合の処理フローチャートである。なお、以下の動作の説明で図３に示されない符号は図１を参照するものとする。
【００５７】
先ず、ローカルコピージョブの有無を確認する（Ｓ３００）。ジョブの有無を確認する手段としては、例えば画像入力部１００に設けられたADF（Ａｕｔｏ Ｄｏｃｕｍｅｎｔ Ｆｅｅｄｅｒ）に原稿がセットされている状態にある時“ローカルコピージョブ有り”と判定してもよいし、あるいは原稿をADFにセットした後コピー開始ボタンが押下されたらその時点で“ローカルコピージョブ有り”と判定してもよく、特に上記に限定されない。
【００５８】
ローカルコピージョブがないと判定した場合は、続いてネットワークコピーにおける圧縮情報の受信有無判定（Ｓ３１３）に移行する。ローカルコピージョブがあると判定した場合、先ずセレクタ１０６およびセレクタ１０７の切替えを行う（Ｓ３０１）。
【００５９】
セレクタ１０６は入力画像補正部１０１の出力が選択出力されるよう切替え、またセレクタ１０７は属性情報生成部１０２の出力が選択出力されるよう切替える。
【００６０】
各セレクタの切替えが完了したら、入力部１００にて画像情報を入力する（Ｓ３０２）。画像情報が入力されると、入力画像補正部１０１にて入力デバイス色空間から内部色空間への変換や下地検知＆除去等の入力画像補正処理を行う（Ｓ３０３）。
【００６１】
入力画像情報の補正処理が終わると、補正済み画像情報に対して属性情報生成部１０２にて像域分離処理を行い、文字線画などから構成される属性情報を生成する（Ｓ３０４）。ここで生成される属性情報は、例えば
▲１▼黒文字線画
▲２▼色文字線画
▲３▼絵柄
などのような１画素当たり２ビットで表現される画素単位の信号とする。なお▲１▼と▲２▼の領域については、ローカルコピーの画質再現性を高めるために図１１に示すように文字線画部が膨張処理されているものとする。
【００６２】
属性情報を生成すると、補正済み画像情報および属性情報をそれぞれセレクタ１０６およびセレクタ１０７を経由して画像情報圧縮部１０８および属性情報圧縮部１０９に入力し、補正済み画像情報を画像情報圧縮部１０８にて、属性情報を属性情報圧縮部１０９にてそれぞれ圧縮処理し、第２蓄積部１１０に蓄積する（Ｓ３０５）。
【００６３】
原稿が複数ページからなるので、Ｓ３０２からＳ３０５までの処理をページ数分繰り返す（Ｓ３０６）。以上の処理により、複数ページの画像情報（入力画像補正処理を施した画像情報）および属性情報の圧縮処理および蓄積が完了する。
【００６４】
蓄積が完了したら、ローカルコピージョブが終了しているか否かを判定する（Ｓ３０７）。ローカルコピージョブが終了している場合は、続いてネットワークコピーにおける圧縮情報の受信有無判定（Ｓ３１３）に移行する。
【００６５】
ここではまだローカルコピージョブの出力を行っていないので、ローカルコピーのジョブを処理するために、第２蓄積部１１０に蓄積された画像情報および属性情報を１ページ目から順に読み出し、画像情報伸長部１１１および属性情報伸長部１１２にてそれぞれの圧縮形式に対応した伸長方式で伸長処理する（Ｓ３０８）。
【００６６】
伸長処理が終わると、伸長処理された属性情報から補正用タグ生成部１１３にて出力画像補正用のタグ信号を生成する（Ｓ３０９）。なおここで生成されるタグ信号は、出力画像補正処理の内容にもよるが例えば
▲４▼黒文字線画（＝▲１▼）
▲５▼その他（＝▲２▼＋▲３▼）
などのような１画素当たり１ビットで表現される画素単位の信号であったり、また伸長処理された属性情報（▲１▼〜▲３▼）をそのまま使用してもよい。▲４▼と▲５▼で表現されるような１ビットのタグ信号は、例えば黒文字の再現性を高める処理に使われる。
【００６７】
次いで、補正用タグ生成部１１３にて生成されたタグ信号に基づいて、出力画像補正部１１４にて画像情報に対し内部色空間から出力デバイス色空間への変換や階調補正等の出力画像補正処理を行う（Ｓ３１０）。
【００６８】
この補正処理の後、画像情報を出力部１１５にて紙などの記録媒体に印字出力する（Ｓ３１１）。原稿が複数ページからなるので、Ｓ３０８からＳ３１１までの処理をページ数分繰り返す（Ｓ３１２）。以上の処理により、蓄積された複数ページの画像情報のローカルコピーによる印刷出力が完了する。
【００６９】
ローカルコピーのジョブが終了したら（Ｓ３０７）、ネットワークコピーにおいて第１蓄積部１０４に圧縮情報が受信されているかどうかを確認する（Ｓ３１３）。受信の有無を確認する方法としては、ポーリング等によって定期的に第1蓄積部１０４内のデータの有無を確認したりあるいはその他の方法でもよく、特に方法は限定されない。
【００７０】
圧縮情報が受信されていなかった場合はここで処理を終了する。圧縮情報が受信されていた場合、まずセレクタ１０６およびセレクタ１０７の切替えを行う（Ｓ３１４）。セレクタ１０６は情報生成部１０５の出力（画像情報）が選択出力されるよう切替え、またセレクタ１０７も情報生成部１０５の出力（属性情報）が選択出力されるよう切替える。
【００７１】
各セレクタの切替えが完了したら、第１蓄積部１０４に蓄積された圧縮情報を読み出して、圧縮形式に準じた方式で伸長処理や解像度変換処理等を施して画像情報および属性情報を解凍する（Ｓ３１５）。
【００７２】
また伸長処理や解像度変換処理に先立ち、圧縮情報が所定の画像フォーマットでラッピングされている場合にはその画像フォーマットのアンラッピング処理も行う。
【００７３】
情報生成部１０５にて解凍が終了して画像情報および属性情報が生成されたら、生成された画像情報および属性情報をそれぞれセレクタ１０６およびセレクタ１０７を経由して画像情報圧縮部１０８および属性情報圧縮部１０９に入力し、画像情報を画像情報圧縮部１０８にて、属性情報を属性情報圧縮部１０９にてそれぞれ圧縮処理して第２蓄積部１１０に蓄積する（Ｓ３１６）。
【００７４】
ここで圧縮および蓄積される属性情報は、ローカルコピー同様例えば
▲１▼黒文字線画
▲２▼色文字線画
▲３▼絵柄
などのような１画素当たり２ビットで表現される画素単位の信号とする。
【００７５】
受信した圧縮情報が複数ページからなる場合はＳ３１５からＳ３１６までの処理をページ数分繰り返す（Ｓ３１７）。以上の処理により、複数ページの画像情報および属性情報の圧縮処理および蓄積が完了する。
【００７６】
蓄積が完了したら、ネットワークコピージョブが終了しているか否かを判定する（Ｓ３１８）。ネットワークコピージョブが終了している場合はここで処理を終了するが、ここではまだネットワークコピージョブの出力を行っていないので、ネットワークコピーのジョブを処理するために、第２蓄積部１１０に蓄積された画像情報および属性情報を１ページ目から順に読み出し、画像情報伸長部１１１および属性情報伸長部１１２にてそれぞれの圧縮形式に対応した伸長方式で伸長処理する（Ｓ３１９）。
【００７７】
伸長処理が終わると、伸長処理された属性情報から補正用タグ生成部１１３にて出力画像補正用のタグ信号を生成する（Ｓ３２０）。なおここで生成されるタグ信号は、出力画像補正処理の内容にもよるが、ローカルコピー同様例えば
▲４▼黒文字線画（＝▲１▼）
▲５▼その他（＝▲２▼＋▲３▼）
などのような１画素当たり１ビットで表現される画素単位の信号であったり、また伸長処理された属性情報（▲１▼〜▲３▼）をそのまま使用してもよい。▲４▼と▲５▼で表現されるような１ビットのタグ信号は、例えば黒文字の再現性を高める処理に使われる。
【００７８】
補正用タグ生成部１１３にて生成されたタグ信号に基づき、出力画像補正部１１４にて画像情報に対し内部色空間から出力デバイス色空間への変換や階調補正等の出力画像補正処理を行う（Ｓ３２１）。
【００７９】
補正処理の後、画像情報を出力部１１５にて紙などの記録媒体に印字出力する（Ｓ３２２）。原稿が複数ページからなるので、Ｓ３１９からＳ３２２までの処理をページ数分繰り返す（Ｓ３２３）。以上の処理により、蓄積された複数ページの画像情報のネットワークコピーによる印刷出力が完了する。
【００８０】
すべての印刷が終了したら全体動作終了となる。なおローカルコピーにおけるＳ３０８からＳ３１２の処理と、ネットワークコピーにおけるＳ３１９からＳ３２３の処理は同じである。
【００８１】
本実施形態では、画像情報を圧縮処理する画像情報圧縮部１０８、属性情報を圧縮処理する属性情報圧縮部１０９、蓄積された画像情報を読み出して伸長処理する画像情報伸長部１１１、蓄積された属性情報を読み出して伸長処理する属性情報伸長部１１２を設けているが、これらは必ずしも設けなくてよい。その場合には画像情報および属性情報を圧縮することなくＲａｗデータとして蓄積することとなる。
【００８２】
また、画像情報圧縮部１０８と画像情報伸長部１１１のみを設けて画像情報だけ圧縮して蓄積するようにしてもよいし、あるいは属性情報圧縮部１０９と属性情報伸長部１１２のみを設けて属性情報だけ圧縮して蓄積するようにしてもよい。
【００８３】
画像情報圧縮部１０８の圧縮手法としては、汎用の画像処理チップを使うことによりリアルタイム処理を容易に実現できる多値画像用の非可逆圧縮であるＪＰＥＧ等がある。また他の圧縮手法であってももちろんよい。
【００８４】
また属性情報圧縮部１０９の圧縮手法としては、汎用の画像処理チップを使うことによりリアルタイム処理を容易に実現できる１ビット画像用の可逆圧縮であるＭＨやＭＭＲ等がある（この場合属性情報は１画素当たり２ビットであるので２個使うこととなる）。また他の圧縮手法であってももちろんよい。
【００８５】
情報生成部１０５で施す伸長処理については、あらかじめ圧縮情報に適用する圧縮手法を決めておき、それに準じた伸長手法を適用する。また蓄積手段については第１蓄積部１０４と第２蓄積部１１０を分けているが、第２蓄積部１１０だけを設けて圧縮情報を第２蓄積部１１０に蓄積するような構成にしてもよく、特に本実施例に限定されない。
【００８６】
以上述べたように、本実施形態によれば、ローカルコピー機能とネットワークコピー機能を１台で同時に実現する複合システムにおいて、ローカルコピーにおいては生産性を低下させることなくリアルタイム処理を実現することができ、なおかつ画質も低下させることなく高画質を維持できる。
【００８７】
また、ネットワークコピーにおいては受信した圧縮情報を解凍して画像情報および属性情報を再度ローカルコピーと同様の圧縮手法にて圧縮および蓄積することにより、蓄積後の画像情報に対してローカルコピーと共通の処理リソースを使って画像情報の出力を行うことができる。
【００８８】
さらには、画像情報および属性情報を蓄積した後は、出力部の起動タイミングや印刷処理速度にあわせて蓄積画像情報の読み出しから出力までを高速に処理することができる。
【００８９】
また、ネットワークコピーにおいても画像情報および属性情報を一旦蓄積する構成にしたことにより、例えばフェイスアップ（最終ページから順に出力し１ページ目が一番上に来るようにする）や冊子作成（縮小して回転し順序を入れ替えて面付け）などのローカルコピーと同等の複写機能をも実現することができる。したがって、ローカルコピー機能とネットワークコピー機能を１台で同時に実現する複合システムにおいて、ローカルコピーの生産性や画質を低下させることなく、最小限の処理リソースの追加のみで高画質なネットワークコピーを実現することができる。
【００９０】
次に、第２実施形態の説明を行う。図４は第２実施形態に係る画像処理装置を説明する構成図である。図４の１００から１１５は第１実施形態で説明した構成と同じであるため、ここでは詳細な説明は省略する。第１実施形態との相違点は属性情報再生成部１１６が追加されている点である。属性情報再生成部１１６は情報生成部１０５にて解凍された画像情報および属性情報から、新たな属性情報を再生成する手段である。
【００９１】
第２実施形態に係る画像処理装置は、第１実施形態と同様に図２に示すようなネットワークで複数接続したシステム構成であっても、また各装置がそれぞれ入力装置の機能と出力装置の機能とを備えた複合機であってもよい。本実施形態においてはこのような複合機を前提に説明する。
【００９２】
次に、第２実施形態に係る画像処理装置の動作を図５を用いて説明する。図５はローカルコピーにおいて複数ページからなる入力原稿を１部出力するとともに、ローカルコピー終了後、ネットワークコピーにおいてネットワーク経由で送信されてきた複数ページからなる圧縮情報を１部出力する場合の処理フローチャートである。なお、以下の動作の説明で図５に示されない符号は図４を参照するものとする。また、本実施形態において、ネットワーク経由で送信されてくる圧縮情報は図１０に示すような属性ごとにプレーンに分離された構成をしているものとする。
【００９３】
先ず、ローカルコピージョブの有無を確認する（Ｓ１１００）。ジョブの有無を確認する手段としては、例えば画像入力部１００に設けられたADF（Ａｕｔｏ Ｄｏｃｕｍｅｎｔ Ｆｅｅｄｅｒ）に原稿がセットされている状態にある時“ローカルコピージョブ有り”と判定してもよいし、あるいは原稿をADFにセットした後コピー開始ボタンが押下されたらその時点で“ローカルコピージョブ有り”と判定してもよく、特に上記に限定されない。
【００９４】
ローカルコピージョブがないと判定した場合は、続いてネットワークコピーにおける圧縮情報の受信有無判定（Ｓ１１１３）に移行する。ローカルコピージョブがあると判定した場合、先ず、セレクタ１０６およびセレクタ１０７の切替えを行う（Ｓ１１０１）。セレクタ１０６は入力画像補正部１０１の出力が選択出力されるよう切替え、またセレクタ１０７は属性情報生成部１０２の出力が選択出力されるよう切替える。
【００９５】
各セレクタの切替えが完了したら、入力部１００にて画像情報を入力する（Ｓ１１０２）。画像情報が入力されると、入力画像補正部１０１にて入力デバイス色空間から内部色空間への変換や下地検知＆除去等の入力画像補正処理を行う（Ｓ１１０３）。
【００９６】
入力画像情報の補正処理が終わると、補正済み画像情報に対して属性情報生成部１０２にて像域分離処理を行い文字線画などから構成された属性情報を生成する（Ｓ１１０４）。ここで生成される属性情報は、例えば
▲１▼黒文字線画
▲２▼色文字線画
▲３▼絵柄
などのような１画素当たり２ビットで表現される画素単位の信号とする。なお▲１▼と▲２▼の領域については、ローカルコピーの画質再現性を高めるために図１１に示すように文字線画部が膨張処理されているものとする。
【００９７】
属性情報が生成されると、補正済み画像情報および属性情報をそれぞれセレクタ１０６およびセレクタ１０７を経由して画像情報圧縮部１０８および属性情報圧縮部１０９に入力し、補正済み画像情報を画像情報圧縮部１０８にて、属性情報を属性情報圧縮部１０９にてそれぞれ圧縮処理し、第２蓄積部１１０に蓄積する（Ｓ１１０５）。原稿が複数ページからなるので、Ｓ１１０２からＳ１１０５までの処理をページ数分繰り返す（Ｓ１１０６）。以上の処理により、複数ページの画像情報（入力画像補正処理を施した画像情報）および属性情報の圧縮処理および蓄積が完了する。
【００９８】
蓄積が完了したら、ローカルコピージョブが終了しているか否かを判定する（Ｓ１１０７）。ローカルコピージョブが終了している場合は、続いてネットワークコピーにおける圧縮情報の受信有無判定（Ｓ１１１３）に移行する。ここではまだローカルコピージョブの出力を行っていないので、ローカルコピーのジョブを処理するために、第２蓄積部１１０に蓄積された画像情報および属性情報を１ページ目から順に読み出し、画像情報伸長部１１１および属性情報伸長部１１２にてそれぞれの圧縮形式に対応した伸長方式で伸長処理する（Ｓ１１０８）。
【００９９】
伸長処理が終わると、伸長処理された属性情報から補正用タグ生成部１１３にて出力画像補正用のタグ信号を生成する（Ｓ１１０９）。なおここで生成されるタグ信号は、出力画像補正処理の内容にもよるが例えば
▲４▼黒文字線画（＝▲１▼）
▲５▼その他（＝▲２▼＋▲３▼）
などのような１画素当たり１ビットで表現される画素単位の信号であったり、また伸長処理された属性情報（▲１▼〜▲３▼）をそのまま使用してもよい。▲４▼と▲５▼で表現されるような１ビットのタグ信号は、例えば黒文字の再現性を高める処理に使われる。
【０１００】
次いで、補正用タグ生成部１１３にて生成されたタグ信号に基づいて、出力画像補正部１１４にて画像情報に対し内部色空間から出力デバイス色空間への変換や階調補正等の出力画像補正処理を行う（Ｓ１１１０）。この補正処理の後、画像情報を出力部１１５にて紙などの記録媒体に印字出力する（Ｓ１１１１）。
【０１０１】
原稿が複数ページからなるので、Ｓ１１０８からＳ１１１１までの処理をページ数分繰り返す（Ｓ１１１２）。以上の処理により、蓄積された複数ページの画像情報のローカルコピーによる印刷出力が完了する。
【０１０２】
ローカルコピーのジョブが終了したら（Ｓ１１０７）、ネットワークコピーにおいて第１蓄積部１０４に圧縮情報が受信されているかどうかを確認する（Ｓ１１１３）。受信の有無を確認する方法としては、ポーリング等によって定期的に第1蓄積部１０４内のデータの有無を確認したりあるいはその他の方法でもよく、特に方法は限定されない。
【０１０３】
圧縮情報が受信されていなかった場合はここで処理を終了する。圧縮情報が受信されていた場合、まずセレクタ１０６およびセレクタ１０７の切替えを行う（Ｓ１１１４）。セレクタ１０６は情報生成部１０５の出力（画像情報）が選択出力されるよう切替え、またセレクタ１０７は属性情報再生成部１１６の出力（新たな属性情報）が選択出力されるよう切替える。
【０１０４】
各セレクタの切替えが完了したら、第１蓄積部１０４に蓄積された圧縮情報を読み出して、圧縮形式に準じた方式で伸長処理や解像度変換処理等を施して画像情報および属性情報を解凍する（Ｓ１１１５）。
【０１０５】
今回の圧縮情報は図１０で説明したような３プレーンの画像構造をとっているので、３プレーンを合成する合成処理もここで行う。また伸長処理や解像度変換処理に先立ち、圧縮情報が所定の画像フォーマットでラッピングされている場合にはその画像フォーマットのアンラッピング処理も行う。
【０１０６】
情報生成部１０５にて解凍が終了して画像情報および属性情報が生成されたら、属性情報再生成部１１６にて画像情報および属性情報から新たな属性情報を生成する（Ｓ１１１６）。
【０１０７】
ここで、今回ネットワーク経由で受信した圧縮情報は図１０の構成を取っているので、属性情報再生成部１１６に入力される画像情報とは図１０の３プレーンを合成処理した画像情報であり、属性情報再生成部１１６に入力される属性情報とは図１０の属性情報プレーン（１画素当たり1ビット）そのものである。属性情報プレーンは
▲６▼文字線画
▲７▼絵柄
という１画素当たり１ビットで構成されているため、属性情報および画像情報を用いてローカルコピー同様
▲１▼黒文字線画
▲２▼色文字線画
▲３▼絵柄
という１画素当たり２ビットの新たな属性情報を再生成する。具体的な方法としては、例えば画像情報の色空間が輝度（L*）および色差（a*,b*）で表現されている場合、属性情報の▲６▼領域について画像情報の色差成分（a*,b*）を参照し、▲６▼領域を▲１▼および▲２▼領域に区分する。また必要に応じてさらに文字線画領域（▲１▼＋▲２▼）に対し膨張処理（図１１参照）を施してもよい。
【０１０８】
以上により、ローカルコピーと同等の新たな属性情報が生成される。属性情報再生成部１１６にて新たな属性情報が生成されたら、画像情報および新たな属性情報をそれぞれセレクタ１０６およびセレクタ１０７を経由して画像情報圧縮部１０８および属性情報圧縮部１０９に入力し、画像情報を画像情報圧縮部１０８にて、属性情報を属性情報圧縮部１０９にてそれぞれ圧縮処理し、第２蓄積部１１０に蓄積する（Ｓ１１１７）。
【０１０９】
ここで圧縮および蓄積される属性情報は、上述したようにローカルコピー同様1画素当たり２ビットの信号となる。受信した圧縮情報が複数ページからなる場合はＳ１１１５からＳ１１１７までの処理をページ数分繰り返す（Ｓ１１１８）。以上の処理により、複数ページの画像情報および属性情報の圧縮処理および蓄積が完了する。
【０１１０】
蓄積が完了したら、ネットワークコピージョブが終了しているか否かを判定する（Ｓ１１１９）。ネットワークコピージョブが終了している場合はここで処理を終了するが、ここではまだネットワークコピージョブの出力を行っていないので、ネットワークコピーのジョブを処理するために、第２蓄積部１１０に蓄積された画像情報および属性情報を１ページ目から順に読み出し、画像情報伸長部１１１および属性情報伸長部１１２にてそれぞれの圧縮形式に対応した伸長方式で伸長処理する（Ｓ１１２０）。
【０１１１】
伸長処理が終わると、伸長処理された属性情報から補正用タグ生成部１１３にて出力画像補正用のタグ信号を生成する（Ｓ１１２１）。なおここで生成されるタグ信号は、出力画像補正処理の内容にもよるが、ローカルコピー同様例えば
▲４▼黒文字線画（＝▲１▼）
▲５▼その他（＝▲２▼＋▲３▼）
などのような１画素当たり１ビットで表現される画素単位の信号であったり、また伸長処理された属性情報（▲１▼〜▲３▼）をそのまま使用してもよい。▲４▼と▲５▼で表現されるような１ビットのタグ信号は、例えば黒文字の再現性を高める処理に使われる。
【０１１２】
次いで、補正用タグ生成部１１３にて生成されたタグ信号に基づいて、出力画像補正部１１４にて画像情報に対し内部色空間から出力デバイス色空間への変換や階調補正等の出力画像補正処理を行う（Ｓ１１２２）。この補正処理の後、画像情報を出力部１１５にて紙などの記録媒体に印字出力する（Ｓ１１２３）。
【０１１３】
原稿が複数ページからなるので、Ｓ１１２０からＳ１１２３までの処理をページ数分繰り返す（Ｓ１１２４）。以上の処理により、蓄積された複数ページの画像情報のネットワークコピーによる印刷出力が完了する。すべての印刷が終了したら全体動作終了となる。なおローカルコピーにおけるＳ１１０８からＳ１１１２の処理と、ネットワークコピーにおけるＳ１１２０からＳ１１２４の処理は同じである。
【０１１４】
本実施形態では画像情報を圧縮処理する画像情報圧縮部１０８、属性情報を圧縮処理する属性情報圧縮部１０９、蓄積された画像情報を読み出して伸長処理する画像情報伸長部１１１、蓄積された属性情報を読み出して伸長処理する属性情報伸長部１１２を設けているが、これらは必ずしも設けなくてよい。その場合には画像情報および属性情報を圧縮することなくＲａｗデータとして蓄積することとなる。
【０１１５】
また、画像情報圧縮部１０８と画像情報伸長部１１１のみを設けて画像情報だけ圧縮して蓄積するようにしてもよいし、あるいは属性情報圧縮部１０９と属性情報伸長部１１２のみを設けて属性情報だけ圧縮して蓄積するようにしてもよい。
【０１１６】
画像情報圧縮部１０８の圧縮手法としては、汎用の画像処理チップを使うことによりリアルタイム処理を容易に実現できる多値画像用の非可逆圧縮であるＪＰＥＧ等がある。また他の圧縮手法であってももちろんよい。
【０１１７】
また、属性情報圧縮部１０９の圧縮手法としては、汎用の画像処理チップを使うことによりリアルタイム処理を容易に実現できる１ビット画像用の可逆圧縮であるＭＨやＭＭＲ等がある（この場合属性情報は１画素当たり２ビットであるので２個使うこととなる）。また他の圧縮手法であってももちろんよい。
【０１１８】
情報生成部１０５で施す伸長処理については、あらかじめ圧縮情報に適用する圧縮手法を決めておき、それに準じた伸長手法を適用する。また蓄積手段については第１蓄積部１０４と第２蓄積部１１０を分けているが、第２蓄積部１１０だけを設けて圧縮情報を第２蓄積部１１０に蓄積するような構成にしてもよく、特に本実施形態に限定されない。また属性情報再生成部１１６における新たな属性情報の生成方法も特に本実施形態に限定されない。
【０１１９】
また、いずれの実施形態でも、入力部１００，属性情報生成部１０２、受信部１０３、情報生成部１０５、セレクタ１０６、１０７での処理をプログラムの各ステップとして実現し、パーソナルコンピュータやワークステーション等の計算機で実行することで画像処理装置を構成するようにしてもよい。
【０１２０】
【発明の効果】
以上述べたように、本発明によれば、ローカルコピー機能とネットワークコピー機能を１台で同時に実現する複合システムにおいて、ローカルコピーにおいては生産性を低下させることなくリアルタイム処理を実現することができ、なおかつ画質も低下させることなく高画質を維持できる。
【０１２１】
また、ネットワークコピーにおいては受信した圧縮情報を解凍し、画像情報および属性情報からローカルコピー同等の新たな属性情報を生成し、画像情報および新たな属性情報を再度ローカルコピーと同様の圧縮手法にて圧縮および蓄積することにより、ネットワークコピーにおける属性情報の有する分離属性とローカルコピーにおける属性情報の有する分離属性が異なる場合でも、蓄積後の画像情報に対してローカルコピーと共通の処理リソースを使って画像情報の出力を行うことができる。
【０１２２】
さらには、画像情報および新たな属性情報を蓄積した後は、出力部の起動タイミングや印刷処理速度にあわせて蓄積画像情報の読み出しから出力までを高速に処理することができる。
【０１２３】
また、ネットワークコピーにおいても画像情報および新たな属性情報を一旦蓄積する構成にしたことにより、例えばフェイスアップ（最終ページから順に出力し１ページ目が一番上に来るようにする）や冊子作成（縮小して回転し順序を入れ替えて面付け）などのローカルコピーと同等の複写機能をも実現することができる。
【０１２４】
したがって、ローカルコピー機能とネットワークコピー機能とを１台で同時に実現する複合システムにおいて、ローカルコピーの生産性や画質を低下させることなく、最小限の処理リソースの追加のみで高画質なネットワークコピーを実現することが可能となる。
【図面の簡単な説明】
【図１】  第１実施形態を説明する構成図である。
【図２】  本実施形態の画像処理装置を適用するシステム全体図である。
【図３】  第１実施形態の画像処理装置における動作を示すフローチャートである。
【図４】  第２実施形態を説明する構成図である。
【図５】  第２実施形態の画像処理装置における動作を説明するフローチャートである。
【図６】  従来のローカルコピー構成を説明する図である。
【図７】  従来のローカルコピー動作を説明するフローチャートである。
【図８】  従来のネットワークコピー構成を説明する図である。
【図９】  従来のネットワークコピー動作を説明するフローチャートである。
【図１０】  ネットワークコピーの画像構成を説明する模式図である。
【図１１】  膨張処理を説明する模式図である。
【符号の説明】
１００…入力部、１０１…入力画像補正部、１０２…属性情報生成部、１０３…受信部、１０４…第１蓄積部、１０５…情報生成部、１０６…画像情報用セレクタ、１０７…属性情報用セレクタ、１０８…画像情報用圧縮部、１０９…属性情報用圧縮部、１１０…第２蓄積部、１１１…画像情報伸長部、１１２…属性情報伸長部、１１３…補正用タグ生成部、１１４…出力画像補正部、１１５…出力部、１１６…属性情報再生成部、２００…入力装置Ａ、２０１…入力装置Ｂ、２０２…出力装置Ａ、２０３…出力装置Ｂ、２０４…出力装置Ｃ、２０５…ネットワーク網、４００…入力部、４０１…入力画像補正部、４０２…属性情報生成部、４０３…画像情報圧縮部、４０４…属性情報圧縮部、４０５…蓄積部、４０６…画像情報伸長部、４０７…属性情報伸長部、４０８…補正用タグ生成部、４０９…出力画像補正部、４１０…出力部、６００…受信部、６０１…蓄積部、６０２…伸長部、６０３…属性情報生成部、６０４…補正用タグ生成部、６０５…出力画像補正部、６０６…出力部、８００…原稿画像、８０１…文字色情報プレーン、８０２…属性情報プレーン、８０３…絵柄情報プレーン
【図１】
0003925256.tif 000002
【図２】
0003925256.tif 000003
【図３】
0003925256.tif 000004
【図４】
0003925256.tif 000005
【図５】
0003925256.tif 000006
【図６】
0003925256.tif 000007
【図７】
0003925256.tif 000008
【図８】
0003925256.tif 000009
【図９】
0003925256.tif 000010
【図１０】
0003925256.tif 000011
【図１１】
0003925256.tif 000012